(57)【要約】      （修正有）【課題】差込口（コンセント）の位置を問わず電気器具が待機電力を消費することを防止又は減少させることができる省電力用の電気具を提供する。【解決手段】電源が供給された差込口である電源差込口に差し込まれる差込プラグである元プラグ４５と、電気器具が有する差込プラグである器具プラグを差し込む器具プラグ差込口４７と、を備えて本体部４１を形成する。さらに、本体部４１の元プラグと器具プラグ差込口との間の電気的接続を断続するスイッチを有してなる本体部とは別体のスイッチ部２１と、スイッチ２３の操作により元プラグと器具プラグ差込口との間の電気的接続を断続させるよう本体部とスイッチ部とを接続線６１により電気的に接続して、上記の省動力用の電気具を構成する。【選択図】図１
0003170132.tif 000002
【実用新案登録請求の範囲】
【請求項１】
電源が供給された差込口である電源差込口に差し込まれる差込プラグである元プラグと、電気器具が有する差込プラグである器具プラグを差し込む器具プラグ差込口と、を有してなる本体部と、
本体部の元プラグと器具プラグ差込口との間の電気的接続を断続するスイッチを有してなる本体部とは別体のスイッチ部と、
スイッチの操作により元プラグと器具プラグ差込口との間の電気的接続を断続させるよう本体部とスイッチ部とを電気的に接続する接続線と、
を備えてなる、電気具。
【請求項２】
スイッチ部が、元プラグと器具プラグ差込口との間の電気的断続状態を視認可能な状態視認手段を有するものである、請求項１に記載の電気具。
【請求項３】
状態視認手段が、元プラグと器具プラグ差込口との間が電気的に接続された状態と電気的に切断された状態との両状態のうち一方においては点灯し、該両状態のうち他方においては消灯するランプを含んでなるものである、請求項２に記載の電気具。
【請求項４】
電気器具の外面にスイッチ部を着脱自在に取り付ける取付手段を備えてなるものである、請求項１乃至３のいずれか１に記載の電気具。
【請求項５】
取付手段が、電気器具の外面に吸着する吸盤、電気器具の外面に吸着する磁石、そして電気器具の外面とスイッチ部の外面とに取り付けられる互いに係合可能な一対の面ファスナーの１又は２以上を含んでなるものである、請求項４に記載の電気具。
【考案の詳細な説明】
【技術分野】
【０００１】
本考案は、電気具に関し、より詳細には、動作していない状態の電気器具が消費する待機電力の消費を防止又は減少させることができる省電力用の電気具に関する。
【背景技術】
【０００２】
電気器具への電力供給は、通常、該電気器具に末端が接続された電源コードの先端に取り付けられた差込プラグ（器具プラグ）を、差込プラグを接続する差込口（プラグ受け。我が国ではコンセントと呼ばれることもある。）に差し込むことで、商用電源等の電力が供給された差込口から差込プラグ及び電源コードを経由して該電気器具に電気を導くことによって行われる。
このとき、多くの電気器具は、動作スイッチがＯＦＦ（切）からＯＮ（入）にされたときの動作を迅速にする等のために動作していない状態においてもある程度の電力（「待機電力」等と呼ばれる）を消費する。かかる待機電力は、１世帯当たりでは全使用電力の数％〜１０％近くにも上る場合があり、待機電力の消費は省エネルギーや省電力といった観点から好ましくない。このため以前から待機電力を減少させるための種々の試みがなされてきた（例えば、特許文献１参照）。
特許文献１には、「簡単に無駄な待機電力をゼロにすることができ、個々の家庭の使用電気料の節約と、日本全体の電力の節約にもなり、安全性も高まる省エネ・コンセントを提供する」（要約の課題）ためになされたものであり、具体的には、「家庭用電気コンセントにスイッチをつけるためのスイッチ付きコンセント」（請求項２、第３図）であって、「家庭の配電盤からコンセント２に流れてくる電流をスイッチ１で切断できる。プラグ３が、コンセント２に差し込まれていても電流を流れなくすることができる」（要約の解決手段）ものが開示されている。
【０００３】
このような特許文献１に開示されたスイッチ付きコンセントは、箱体をなす本体部と、本体部に取り付けられた本体プラグ３と、本体部に設けられたプラグ差し込み口２と、本体プラグ３からプラグ差し込み口２への電気を断続（ＯＮ、ＯＦＦ）させるスイッチ１と、を有してなり、本体プラグ３を差込口（プラグ受け、コンセント）に差し込むと共に、電気器具の電源コードの先端に取り付けられた差込プラグ（特許文献１においては家電プラグ４）をプラグ差し込み口２に差し込むことで、スイッチ１をＯＮ、ＯＦＦさせれば、電気器具への電力供給を自由に断続することができる。このため特許文献１のスイッチ付きコンセントによれば、電気器具を動作させていない時にはスイッチ１をＯＦＦにすることで電気器具が待機電力を消費することを容易かつ確実に防止できると共に、電気器具を動作させたい時はスイッチ１をＯＮにすることで容易かつ確実に電気器具を動作させることができる。
【先行技術文献】
【特許文献】
【０００４】
【特許文献１】特開２００４−８７４４８号公報（例えば、要約、発明の詳細な説明（段落番号なし）、第３図等）
【考案の概要】
【考案が解決しようとする課題】
【０００５】
確かに、このような特許文献１に開示されたようなスイッチ付きコンセントは、スイッチ１をＯＮ、ＯＦＦさせることで本体プラグ３からプラグ差し込み口２への電力供給を自由に断続できるので、プラグ差し込み口２に接続された電気器具の差込プラグ（特許文献１においては家電プラグ４）を経て該電気器具が待機電力を消費することを防止できる。
しなしながら、商用電源等の電源が供給される差込口（コンセント）の位置等から特許文献１のスイッチ付きコンセントに手が届かないような状況（例えば、電源が供給される差込口（コンセント）が電気器具の裏面や高所に配置されるような状況）においては、スイッチ１をＯＮ、ＯＦＦさせるように操作できないので、特許文献１のスイッチ付きコンセントを使用することができない（または、スイッチ１をＯＮ、ＯＦＦさせ操作することが難儀な状況であれば、待機電力消費を防止するためにスイッチ１をＯＦＦにすることが億劫になり、次第にスイッチ１をＯＮのまま放置することで待機電力消費の防止が困難になる）。
そこで、本考案では、商用電源等の電源が供給される差込口（コンセント）の位置を問わず電気器具が待機電力を消費することを防止又は減少させることができる省電力用の電気具を提供することを目的とする。
【課題を解決するための手段】
【０００６】
本考案の省電力用の電気具（以下、「本電器具」という。）は、電源が供給された差込口である電源差込口に差し込まれる差込プラグである元プラグと、電気器具が有する差込プラグである器具プラグを差し込む器具プラグ差込口と、を有してなる本体部と、本体部の元プラグと器具プラグ差込口との間の電気的接続を断続するスイッチを有してなる本体部とは別体のスイッチ部と、スイッチの操作により元プラグと器具プラグ差込口との間の電気的接続を断続させるよう本体部とスイッチ部とを電気的に接続する接続線と、を備えてなる、電気具である。
【０００７】
本電気具は、本体部と、本体部とは別体のスイッチ部と、本体部とスイッチ部とを電気的に接続する接続線と、を備えてなる電気的な接続具である。
本体部は、元プラグと器具プラグ差込口とを有してなる。元プラグは、商用電源等から電源が供給された差込口である電源差込口（コンセントと呼ばれることもある）に差し込まれる差込プラグ（特許文献１においては本体プラグ３）である。器具プラグ差込口は、電気器具が有する差込プラグである器具プラグ（一般的には、電気器具に電力を供給するための電源コードの先端に取り付けられている。特許文献１においては家電プラグ４）を差し込む差込口（特許文献１においてはプラグ差し込み口２）である。
スイッチ部は、本体部とは別体に形成されており、スイッチを有する。該スイッチを操作することで、元プラグと器具プラグ差込口との間の電気的接続を断続（ＯＮ、ＯＦＦ）することができる（スイッチの操作により元プラグから器具プラグ差込口への給電を断続させる）。
接続線は、スイッチの操作により元プラグと器具プラグ差込口との間の電気的接続を断続させることができるよう、本体部とスイッチ部とを電気的に接続する。なお、接続線は、スイッチを容易かつ確実に操作できるような位置にスイッチ部を配置することができる程度の長さとされればよい（本体部とスイッチ部との間の距離等に応じて決定されればよい）。
このような本電気具によれば、商用電源等の電源が供給される差込口（コンセント）に本体部の元プラグを差し込むと共に、電気器具の器具プラグを本体部の器具プラグ差込口に差し込んだ状態において、本体部とは別体のスイッチ部を、スイッチ部が有するスイッチを容易かつ確実に操作できるような位置に配置する。これによってスイッチ部のスイッチを容易かつ確実に操作できる状態を保ちつつ、電源差込口に差し込まれた元プラグと、器具プラグが差し込まれた器具プラグ差込口と、の間の電気的接続をスイッチの操作により自由に断続（ＯＮ、ＯＦＦ）させることができる。このように本電気具は、電源が供給される差込口（コンセント）の位置（本体部の近傍位置）を問わず、スイッチ部を自由に配置することによってスイッチを容易かつ確実に操作できるので、電気器具が待機電力を消費することを防止又は減少させることができる省電力用の電気具である。
【０００８】
本電気具においては、スイッチ部が、元プラグと器具プラグ差込口との間の電気的断続状態を視認可能な状態視認手段を有するもの（以下、「状態視認本装置」という。）であってもよい。
このようにスイッチを容易かつ確実に操作できるような位置に配置されたスイッチ部が状態視認手段を有することで、状態視認手段を目視することによって元プラグと器具プラグ差込口との間の電気的断続状態を容易に認識することができる。これにより元プラグと器具プラグ差込口との間の電気的断続状態を確実かつ迅速に認識でき、元プラグと器具プラグ差込口との間を電気的に切断（ＯＦＦ）にすべきことを忘れることを防止又は減少することができる。加えて、状態視認手段の目視により、省電力に貢献していることを目視で直接感じられるので、省電力の達成感や動機付けを増加させることができ、本電気具を用いた省電力活動を促進することができる。
【０００９】
状態視認本装置の場合、状態視認手段が、元プラグと器具プラグ差込口との間が電気的に接続された状態と電気的に切断された状態との両状態のうち一方においては点灯し、該両状態のうち他方においては消灯するランプを含んでなるものであってもよい。
状態視認本装置の状態視認手段は、上述の如く、元プラグと器具プラグ差込口との間の電気的断続状態を視認可能ならしめるものであればいかなるものであってもよく何ら限定されるものではなく、例えば、スイッチ部が有するスイッチの少なくとも一部が変位（例えば、スイッチの一部がスイッチのＯＮ／ＯＦＦに対応して出没するようなものや、スイッチのＯＮ／ＯＦＦに対応して小窓から見える文字が「ＯＮ」、「ＯＦＦ」と変わるようなもの、スイッチのＯＮ／ＯＦＦに対応して小窓から見える色が赤、黒と変わるようなもの等を例示できる）したことを視認することで該電気的断続状態を認識させるものや、該電気的断続状態に応じて点滅するランプを含むようなものを挙げることができる。かかる該電気的断続状態に応じて点滅するランプは、元プラグと器具プラグ差込口との間が電気的に接続された状態（ＯＮ）と電気的に切断された状態（ＯＦＦ）との両状態のうち一方においては点灯し他方においては消灯するようにすることで（即ち、ＯＮのとき点灯しＯＦＦのとき消灯する場合と、ＯＮのとき消灯しＯＦＦのとき点灯する場合と、のいずれであってもよい。）、該電気的断続状態を確実かつ容易に視認でき、元プラグと器具プラグ差込口との間を電気的に切断（ＯＦＦ）にすべきことを忘れることを一層効果的に防止又は減少することができる。加えて、省電力に貢献していることを目視で一層効果的に感じられるので、省電力の達成感や動機付けをさらに増加させることができる。
【００１０】
本電気具においては、電気器具の外面にスイッチ部を着脱自在に取り付ける取付手段を備えてなるもの（以下、「取付手段保有本装置」という。）であってもよい。
こうすることで差込口（コンセント）に本体部の元プラグを差し込むと共に、電気器具の器具プラグを本体部の器具プラグ差込口に差し込んだ状態において、スイッチ部を取付手段によって該電気器具の外面に着脱自在に取り付けることができる。スイッチ部が有するスイッチを容易かつ確実に操作できるような該電気器具の外面の位置に取付手段がスイッチ部を着脱自在に取り付けることにより、スイッチ部を適した位置で保つことができる（スイッチの操作を容易かつ確実ならしめる）と共に、スイッチを操作することで省電力することができる電気器具（スイッチ部が取り付けられた電気器具）が明らかになるので、電気器具の動作状態に応じて的確にスイッチを操作でき、省電力の動機付けを一層増加させることができる。
【００１１】
取付手段保有本装置の場合、取付手段が、電気器具の外面に吸着する吸盤、電気器具の外面に吸着する磁石、そして電気器具の外面とスイッチ部の外面とに取り付けられる互いに係合可能な一対の面ファスナーの１又は２以上を含んでなるものであってもよい。
取付手段は、電気器具の外面にスイッチ部を着脱自在に取り付けることができるものであればいかなるものであってもよく何ら限定されないが、電気器具の外面に吸着する吸盤、電気器具の外面に吸着する磁石、電気器具の外面とスイッチ部の外面とに取り付けられる互いに係合可能な一対の面ファスナー等を例示できる。これらの吸盤、磁石及び面ファスナーのいずれも電気器具の外面にスイッチ部を着脱自在に容易かつ確実に取り付けることができ好ましい。また、吸盤、磁石及び面ファスナーの３種類各々は、それぞれ単独で取付手段とされてもよいが（例えば、吸盤のみを取付手段とするような場合）、これら３種類のうち２以上のものを含んで取付手段が構成されてもよい（例えば、磁石と面ファスナーとを併用するような場合）。
【図面の簡単な説明】
【００１２】
【図１】本考案の一実施形態の電気具（本電気具）を示す斜視図である。
【図２】本電気具のスイッチ部の裏面の例を示す図である。
【図３】本電気具の電気的回路を示す回路図である。
【図４】本電気具の使用方法を説明する図である。
【考案を実施するための形態】
【００１３】
本考案の実施の形態を図面を参照して詳述するが、本考案はこれに限定されるものではない。
【００１４】
図１は、本考案の一実施形態の電気具（本電気具）１１を示す斜視図であり、図２は本電気具１１のスイッチ部２１の裏面（図１中、矢印Ｂ方向から見たところを示している）の例を示しており、そして図３は本電気具１１の電気的回路を示す回路図である。図１乃至図３を参照して、本電気具１１について説明する。
本電気具１１は、大まかには、本体部４１と、スイッチ２３を有し本体部４１とは別体のスイッチ部２１と、本体部４１とスイッチ部２１とを電気的に接続する接続線６１と、取付手段（詳しくは後述）と、を備えてなる。
【００１５】
本体部４１は、合成樹脂製の中空のハウジング４３と、ハウジング４３の外面から突出するように配設された金属製の元プラグ４５と、ハウジング４３の外面から器具プラグを差し込み可能に形成された器具プラグ差込口４７と、を有してなる。ここでは元プラグ４５は、商用電源が供給される差込口（コンセントとも呼ばれることがある）である電源差込口に差し込まれる差込プラグである。器具プラグ差込口４７は、図示しない電気器具が有する差込プラグである器具プラグを差し込むもの（コンセントとも呼ばれることがある）である。このような元プラグ４５が取り付けられると共に器具プラグ差込口４７が形成されたハウジング４３は略直方体形状をしており、略直方体の６の外面のうち器具プラグ差込口４７が形成された面と略平行な面から元プラグ４５が突出するように取り付けられている。
【００１６】
スイッチ部２１は、合成樹脂製の中空のハウジング２５と、ハウジング２５の外面に露出し該外面側から操作可能に配設されたスイッチ２３と、ハウジング２５の外面に露出し該外面から視認可能に配設された動作ランプ２７と、を有してなる。スイッチ２３は、接続線６１を介して本体部４１に電気的に接続されており、スイッチ２３を操作することで、元プラグ４５と器具プラグ差込口４７との間の電気的接続を断続（ＯＮ／ＯＦＦ）することができる（特に、図３参照）。動作ランプ２７は、ここではスイッチ２３に内蔵されており、スイッチ２３の操作に従って元プラグ４５と器具プラグ差込口４７との間が電気的に接続された状態（ＯＮ）では動作ランプ２７が点灯すると共に、スイッチ２３の操作に従って元プラグ４５と器具プラグ差込口４７との間が電気的に絶縁された状態（ＯＦＦ）では動作ランプ２７が消灯する。このようなスイッチ２３（ここでは動作ランプ２７を内蔵している）が取り付けられたハウジング２５は略直方体形状をしており、略直方体の６の外面のうちスイッチ２３が表面に配設されると共に、スイッチ２３が配設された面と略平行な面（裏面）には、スイッチ部２１を電気器具（不図示）の外面に着脱自在に取り付ける取付手段が取り付けられている。
【００１７】
図２は、スイッチ部２１を電気器具（不図示）の外面に着脱自在に取り付ける取付手段を示す斜視図であり、ここでは図２（ａ）及び図２（ｂ）の２つの例を示している。
図２（ａ）は、取付手段として、ハウジング２５の裏面に取り付けられた吸盤２８（柔軟なプラスチック製）を示している。電気器具（不図示）が平滑な硬い外面（例えば、ガラス面）を有していれば、電気器具（不図示）の該外面に吸盤２８を押しつけることで電気器具（不図示）の該外面に吸盤２８が吸着されることで、電気器具（不図示）の該外面にスイッチ部２１を着脱自在に取り付けることができる。なお、ここでは吸盤２８として４個の吸盤を有しているがこれに限定されるものでないことは言うまでもなく、１個以上であれば個数は問わない。
【００１８】
図２（ｂ）は、取付手段として、ハウジング２５の裏面に取り付け（貼着）られた面ファスナー２９ａと、面ファスナー２９ａと係合可能な電気器具（不図示）の外面に取り付けられる面ファスナー２９ｂと、を示している。電気器具（不図示）の外面に面ファスナー２９ｂを貼着し、面ファスナー２９ｂと面ファスナー２９ａとを係合させることで、電気器具（不図示）の該外面にスイッチ部２１を着脱自在に取り付けることができる。
また、ここではそうしていないが、電気器具（不図示）の外面が磁石を吸着するものであれば、取付手段として、ハウジング２５の裏面に磁石を取り付けるようにしてもよい。
そして、これら吸盤、面ファスナー及び磁石の２又は３のものを組み合わせて取付手段としてもよい。
【００１９】
接続線６１は、一対の導線６１ａ、６１ｂを含んでなり、一対の導線６１ａ、６１ｂによって本体部４１とスイッチ部２１とが電気的に接続されている。詳述すれば、スイッチ部２１のスイッチ２３を閉（ＯＮ）にすると、元プラグ４５と器具プラグ差込口４７との間を電気的に接続（ＯＮ）すると共に（なお、このとき動作ランプ２７は点灯）、スイッチ２３を開（ＯＦＦ）にすると、元プラグ４５と器具プラグ差込口４７との間を電気的に分断（ＯＦＦ）する（なお、このとき動作ランプ２７は消灯）ように接続線６１は本体部４１とスイッチ部２１とを電気的に接続している。
【００２０】
以上のような本電気具１１の使用方法を図４を参照しつつ簡単に説明する。
図４に示した本電気具１１の使用例は、家具２０１の上面に載置された薄型テレビ１０１（テレビジョン受信機：電気器具）に用いたものである。商用電源が供給される差込口（コンセント）である電源差込口を有する電源差込具３０３が部屋の壁面３０１に配設されており、かかる電源差込具３０３の電源差込口に本体部４１の元プラグ４５が差し込まれている。そして、本体部４１の器具プラグ差込口４７には、電気器具たる薄型テレビ１０１が有する差込プラグ１０３が差し込まれている。加えて、スイッチ部２１は、薄型テレビ１０１の前面１０２（画面が映し出される面。平らなガラス面）側に吸盤２８によって着脱自在に取り付けられている（即ち、ここでは図２（ａ）のように、取付手段として吸盤２８を用いている。）。この状態においては、薄型テレビ１０１を見る者（不図示）は前面１０２側（図４中、左側）にいるので、スイッチ２３を操作しやすく、かつ動作ランプ２７を視認しやすい。このため薄型テレビ１０１を見ないときは、スイッチ２３を切ることで元プラグ４５と器具プラグ差込口４７との間を電気的に分断（ＯＦＦ）し薄型テレビ１０１が待機電力を消費することを確実に防止できる（もしスイッチ２３を切り忘れても動作ランプ２７が点灯しているので、すぐに切り忘れに気づき、スイッチ２３を切ることができる。）。そして、薄型テレビ１０１を見るときは、スイッチ２３を入れることで元プラグ４５と器具プラグ差込口４７との間を電気的に接続（ＯＮ）し、薄型テレビ１０１に給電し動作させることができる。
なお、ここでは取付手段として吸盤２８を用いた場合を示したが、上述の如く、これに替えて又はこれと一緒にこれとは異なるもの（例えば、図２（ｂ）のような面ファスナーや磁石等）を用いてよい。
【００２１】
以上の通り、本電気具１１によれば、操作が容易な位置に存するスイッチ部２１が有するスイッチ２３を操作することで、電気器具の待機電力を消費することを容易く防止又は減少させることができる。このことは電源差込具３０３が電気器具（ここでは薄型テレビ１０１）の裏側に存在して本体部４１に手が届かないような状況にあっても、スイッチ部２１を手が届きやすい場所（ここではスイッチ部２１は薄型テレビ１０１の前面１０２に吸盤２８によって着脱自在に取り付けられている）に配置することでスイッチ２３を容易かつ確実に操作することができる。そして、電源差込具３０３が高所に存在して本体部４１に手が届かないような状況であっても、スイッチ部２１を手が届きやすい低い場所に配置することでスイッチ２３を容易かつ確実に操作することができる。
【００２２】
さらに、スイッチ部２１が有する視認しやすい動作ランプ２７により、スイッチ２３のＯＮ／ＯＦＦを確実に知らしめるので、電気器具が動作していない待機状態においてスイッチ２３を切り忘れることを効果的に防止することができ、電気器具の待機電力の消費を一層確実に防止又は減少させることが可能である。また、動作ランプ２７の動作（ここでは消灯）により省電力（省エネルギー）に貢献していることを目視で直接感じられるので、省電力（省エネルギー）の達成感や動機付けを増加させることができ、本電気具１１を用いた省電力（省エネルギー）活動を促進することができる。
【００２３】
このような本電気具１１を用いることで、１世帯当たり全使用電力の数％〜１０％近くにも上る待機電力の消費を容易かつ確実に防止又は減少させることができるので、多くの人が省電力（省エネルギー）活動を苦もなく効果的に実行することができ、その結果、全体として大規模な省電力（省エネルギー）化が達成できる。
なお、ここでは本電気具１１の使用例として、家具２０１の上面に載置された薄型テレビ１０１を電気器具とした場合を示したが、本電気具１１が用いられる電気器具は、いかなるものであってもよく何ら限定されるものでないことは言うまでもない。本電気具１１が用いられる電気器具としては、空調機器（エアーコンディショナー、エアコン、クーラー、ヒーター）、ラジオ受信機、ＣＤプレーヤー、ＤＶＤプレーヤー、冷蔵庫、空気清浄機、湯沸かしポット等を例示的に挙げることができる。
【００２４】
以上説明した通り、本電気具１１は、電源が供給された差込口である電源差込口（図４においては電源差込具３０３の電源差込口）に差し込まれる差込プラグである元プラグ４５と、電気器具（ここでは薄型テレビ１０１）が有する差込プラグである器具プラグ（ここでは差込プラグ１０３）を差し込む器具プラグ差込口４７と、を有してなる本体部４１と、本体部４１の元プラグ４５と器具プラグ差込口４７との間の電気的接続を断続するスイッチ２３を有してなる本体部４１とは別体のスイッチ部２１と、スイッチ２３の操作により元プラグ４５と器具プラグ差込口４７との間の電気的接続を断続させる（スイッチ２３の操作により元プラグ４５から器具プラグ差込口４７への給電を断続させる）よう本体部４１とスイッチ部２１とを電気的に接続する接続線６１と、を備えてなる、省電力用の電気具である。
【００２５】
本電気具１１においては、スイッチ部２１が、元プラグ４５と器具プラグ差込口４７との間の電気的断続状態を視認可能な状態視認手段（ここでは動作ランプ２７を含んでなる）を有するものである。
そして、本電気具１１においては、状態視認手段が、元プラグ４５と器具プラグ差込口４７との間が電気的に接続された状態と電気的に切断された状態との両状態のうち一方（ここでは電気的に接続された状態）においては点灯し、該両状態のうち他方（ここでは電気的に切断された状態）においては消灯するランプ（ここでは動作ランプ２７）を含んでなるものである。
また、本電気具１１においては、電気器具（ここでは薄型テレビ１０１）の外面（ここでは前面１０２）にスイッチ部２１を着脱自在に取り付ける取付手段（ここでは吸盤２８）を備えてなるものである。
さらに、本電気具１１においては、取付手段が、電気器具の外面に吸着する吸盤、電気器具の外面に吸着する磁石、そして電気器具の外面とスイッチ部の外面とに取り付けられる互いに係合可能な一対の面ファスナーの１又は２以上を含んでなるものである（ここでは電気器具たる薄型テレビ１０１の外面（前面１０２）に吸着する吸盤２８を取付手段が含んでいる。）。
【符号の説明】
【００２６】
１１            本電気具
２１            スイッチ部
２３            スイッチ
２５            ハウジング
２７            動作ランプ
２８            吸盤
２９ａ、２９ｂ  面ファスナー
４１            本体部
４３            ハウジング
４５            元プラグ
４７            器具プラグ差込口
６１            接続線
６１ａ、６１ｂ  導線
１０１            薄型テレビ
１０２            前面
１０３            差込プラグ
２０１            家具
３０１            壁面
３０３            電源差込具
【図１】
0003170132.tif 000003
【図２】
0003170132.tif 000004
【図３】
0003170132.tif 000005
【図４】
0003170132.tif 000006